(57)【特許請求の範囲】
【請求項１】
光コネクタが装着される光レセプタクルを有し、ホストシステムのケージに挿脱可能な光データリンクであって、
前記光レセプタクルに支持され、前記ケージに形成された係合孔に係脱する係合突起を有するアクチュエータと、
前記光レセプタクルに装着され、当該光データリンクを前記ケージから抜去する方向に延び出し、前記係合突起と前記係合孔との係脱操作を駆動する操作部材と、を備え、
該操作部材は、前記光レセプタクルの両側面に係合摺接する側壁部と、該側壁部を連結する底壁部を有し、前記側壁部に互いに対向するように突出部が形成され、
前記アクチュエータは、前記操作部材の前記突出部と摺接するカム面が形成されたカム部を有し、
前記操作部材を前記光レセプタクルに対して前記抜去する方向に沿って直線的に牽くことにより、前記突出部が前記カム面を介して前記アクチュエータをシーソー運動させ、前記係合突起と前記係合孔との係合を解除することを特徴とする光データリンク。
【請求項２】
前記アクチュエータは、前記係合突起と前記係合孔との係合を解除する前記シーソー運動に抗する弾性力を与えるバネ部を有し、
該バネ部により、前記係合突起を前記係合孔に向けて付勢するようにしたことを特徴とする請求項１に記載の光データリンク。
【請求項３】
前記アクチュエータの前記カム部の前記カム面は、前記操作部材の前記突出部が係合する凹部を含み、
該凹部における係合により、前記操作部材を所定の位置に保持することを特徴とする請求項１または２に記載の光データリンク。
【請求項４】
前記操作部材は、前記光レセプタクルの両側面に形成されている突起が挿通される長円形の長孔を前記側壁部に有し、当該操作部材を前記光レセプタクルに対して前記抜去する方向に沿って直線的に牽くことが可能なように、前記抜去する方向に関し、前記突起より前記長孔が長く形成されていることを特徴とする請求項１〜３のいずれかに記載の光データリンク。
【請求項５】
前記光レセプタクルの両側面に段差が形成され、
該段差に前記操作部材の前記側壁部の端部が当接することにより、前記光レセプタクルの前記突起を軸とした前記操作部材の回動運動を抑止することを特徴とする請求項４に記載の光データリンク。
【請求項６】
前記操作部材は、前記係脱動作を駆動する動作を行うための取手を有し、該取手は、前記操作部材の前記側壁部の光ファイバブーツ端部近傍に、回動可能に取付けられていることを特徴とする請求項１〜５のいずれかに記載の光データリンク。
【請求項７】
前記光データリンクは、前記操作部材の一部を除く全体が前記ホストシステムに挿入されるものであり、前記操作部材は、当該光データリンクが挿入される前記ホストシステムのフロントパネルの開口を塞ぐ部材を、前記ホストシステムから露出する位置に有することを特徴とする請求項１〜５のいずれかに記載の光データリンク。
【発明の詳細な説明】
【技術分野】
【０００１】
本発明は、光ファイバ通信に用いられ、ホストシステムのケージに挿脱される光データリンクに関する。
【背景技術】
【０００２】
光データリンク（光トランシーバ）は、発光素子と受光素子が搭載され、光コネクタを介して光を送受信するもので、複数の電子部品、電子回路及び回路基板が収納されるリンク本体部と、光コネクタが着脱可能に装着される光レセプタクルと、を備える。光データリンクの構造に関して、例えばＳＦＰ（small form factor pluggable）と呼ばれる業界標準に準拠した小型の光データリンクでは、ホストシステムのケージに対して挿脱自在な構造、すなわちプラガブル構造を採用している。
【０００３】
このプラガブル構造では、光データリンクを上記ケージに挿入したときに、ホストシステム側に設けた窪みに、光データリンク側が備える部品（例えば、アクチュエータと呼ばれる部品）に設けた突起を嵌め合わせる（ラッチする）ことで、光データリンクはホストシステムに固定される。また、この光データリンクは、ホストシステム側の窪みと光データリンク側の突起との嵌め合わせ関係を解除する（ラッチ解除する）ことで、ケージから抜去することが可能となる。
【０００４】
ラッチ・ラッチ解除の方式として、ベール（bail）と呼ばれる取手を回転させることで上記突起を上下させてラッチ・ラッチ解除する方式（ベール回転方式）がある（例えば、特許文献１）。この方式では、ラッチ解除した状態でベールを引っ張ることによって、光データリンクをホストシステム側から抜去することができる。光データリンクをホストシステムに装着するときは、例えば、抜去のときの動作と逆の動作によって行う。
なお、特許文献１のようにラッチ・ラッチ解除の方式として上記ベール回転方式を用いる場合、光コネクタを光データリンクに接続した状態でベールを回転させると、当該ベールが光コネクタと干渉するため、光コネクタを光データリンクから一旦取り外してからベールの回転操作を行うことになる。
【０００５】
また、他のラッチ解除の方式として、特許文献２に開示の方式がある。この特許文献２の方式では、光データリンクの正面（前面）に設けられたバーを定常位置から回動させて奥側に押し込むことにより、突起が設けられたアクチュエータを動かし、ホストシステム側の窪み（係合孔）と光データリンク側の突起（係合突起）との嵌め合わせ（係合）関係を解除するようになっている。この方式では、ラッチ解除した状態でバーを引っ張ることによって、光データリンクをホストシステム側から抜去することができる。
【特許文献１】米国特許第６，４３９，９１８号明細書
【特許文献２】米国特許出願公開第２００３／１９８０２６号明細書
【発明の開示】
【発明が解決しようとする課題】
【０００６】
近年では、光伝送装置（ホストシステム）において、伝送容量を増加させる一方で小型化の要求に応えるべく、ホストシステム内への光データリンクの実装密度がますます高くなっている。実際、低背・幅狭な光データリンクを左右のみならず上下に密接して配置する製品も増えている。
【０００７】
しかし、光データリンクを上下に密接して配置した場合に、特許文献１に開示の光データリンクのようにラッチ解除方式としてベール回転方式を採用した場合、上下方向に関して、ＬＣコネクタのラッチレバーに干渉しないようにベールを配置しなければならない。そのため、１つの光データリンク辺り、例えば、ＬＣコネクタ底面を基準にすると約８．７ｍｍ（ベール自体の肉厚を加味すると９．１ｍｍ）以上の高さが必要となる。この高さに加え、ベール及びＬＣコネクタの抜去動作を行うためにユーザが上方から手で操作しなければならないので、最低でも指（厚み約１０ｍｍ）が入るくらいの空間が必要となる。したがって、光データリンクを搭載したホストボードのスロット間隔は２０ｍｍ以下にすることが難しい。
【０００８】
なお、ベール回転方式の光データリンクを取り外すには、（１）光コネクタを外し、（２）ベールを回転させ、（３）ベールを摘んで光データリンクを引き抜く、というような３アクションからなる手順が必要である。この方式では、たとえ光データリンクの実装ピッチとして、上下方向に関して、上記の約２０ｍｍを確保していても、操作中に隣接する光データリンクの光ファイバケーブルに触れやすくなるため、取り外しの際に注意を要する。
【０００９】
また、光データリンクを上下に密接に配置した場合は、上述のように、光データリンクの上部に位置するベールの摘む部分を操作して回転させることができるように、各光データリンクに高さを確保しなければならず、光データリンクの実装密度をさらに大きくすることが困難であった。これに対し、特許文献２の光データリンクのように、光データリンクの上方からの操作を避けて、光データリンクの正面（光コネクタが挿入される光レセプタクルの開口側）から操作できるようにすれば、例えば、ホストボード自体をさらに狭いピッチ（間隔）でネットワーク機器に搭載したりすることができる。
【００１０】
しかし、特許文献２の光データリンクは、その構造が複雑であり組み立てが困難である。また、特許文献２の光データリンクを取り外すには、（１）バーを倒し、（２）バーを押し込み（ラッチ解除）、（３）バーを引っ張る（取り外し）、というような３アクションからなる手順が必要なため、操作性に改善の余地がある。特に、ラッチを解除して光データリンクをケージから抜き去るためには、「押す」動作の後に「引き抜く」動作をしなければならず、操作性に難があった。
【００１１】
本発明は、上述のような実情に鑑みてなされたもので、操作性が良く、高密度実装が可能な光データリンクを提供することを目的とする。
【課題を解決するための手段】
【００１２】
上記課題を解決するために、本発明の光データリンクは、光コネクタが装着される光レセプタクルを有し、ホストシステムのケージに挿脱可能なものであって、光レセプタクルに支持され、ケージに形成された係合孔に係脱する係合突起を有するアクチュエータと、光レセプタクルに装着され、当該光データリンクをケージから抜去する方向に延び出し、係合突起と係合孔との係脱操作を駆動する操作部材と、を備え、その操作部材は、光レセプタクルの両側面に係合摺接する側壁部と、それら側壁部を連結する底壁部を有し、両側壁部に互いに対向するように突出部が形成され、アクチュエータは、操作部材の突出部と摺接するカム面が形成されたカム部を有し、操作部材を光レセプタクルに対して上記抜去する方向に沿って直線的に牽くことにより、突出部がカム面を介してアクチュエータをシーソー運動させ、係合突起と係合孔との係合を解除することを特徴とする。
【００１３】
また、アクチュエータが、係合突起と係合孔との係合を解除するシーソー運動に抗する弾性力を与えるバネ部を有し、そのバネ部により、係合突起を係合孔に向けて付勢するようにするのが好ましい。なお、アクチュエータのカム部のカム面が、操作部材の突出部が係合する凹部を含み、その凹部における係合により、操作部材を所定の位置に保持するのも好ましい。
【００１４】
また、操作部材が、光レセプタクルの両側面に形成されている突起が挿通される長円形の長孔を側壁部に有し、当該操作部材を前記光レセプタクルに対して前記抜去する方向に沿って直線的に牽くことが可能なように、上記突起より長孔が長く形成されているのが好適である。なお、このとき、光レセプタクルの両側面に段差が形成され、その段差に操作部材の側壁部の端部が当接することにより、光レセプタクルの突起を軸とした操作部材の回動運動を抑止するようにするとよい。
【００１５】
また、操作部材が、係脱動作を駆動する動作を行うための取手を有し、その取手は、操作部材の側壁部の光ファイバブーツ端部近傍に、回動可能に取付けられているのが好ましい。また、光データリンクが、操作部材の一部を除く全体がホストシステムに挿入されるものとし、操作部材が、光データリンクが挿入されるホストシステムのベゼルの開口を塞ぐ部材を、ホストシステムから露出する位置に有するようにしてもよい。
【発明の効果】
【００１６】
本発明によれば、ホストシステムのケージに挿脱可能な光データリンクを引き抜く（取り外す）ために光データリンクの正面から操作可能な操作部材を用いているため、光データリンクの高さ（または１つの光データリンクに必要な高さ）を抑えることができる。したがって、光データリンクの実装密度を高くすることができる。また、光データリンクを引き抜くために必要な動作が、上記正面から操作可能な部材を掴んで光データリンクの抜去方向に沿って直線的に牽く動作のみであるため、操作性が良い。
【発明を実施するための最良の形態】
【００１７】
図１は、本発明の光データリンクの概略及びその使用形態を説明する図である。図２は、図１の光データリンクの前側の部分を拡大して示す図であり、図２（Ａ）は光データリンクに操作部材が取付けられた状態での側面図、図２（Ｂ）は操作部材が外された状態での斜視図である。なお、本明細書では、光データリンク１において、光コネクタ３ａを受納する光レセプタクル１０が形成されている側を前側とし、その反対側を後側とする。また、前後方向に直交する方向のうち図１のＹ方向を上下方向とする。
【００１８】
図１に示すように、光データリンク１は、例えば、光レセプタクル１０の後部にリンク本体部２０が繋がった断面矩形の長方形体に形成される。光データリンク１内には、発光素子、受光素子等の光部品、光信号の送受信を行うための増幅素子等の電子部品や、電子回路、及び、これらを実装するための回路基板が備えられる。光データリンク１は、図示しないホストシステムのフロントパネルに設けられたパネル開口から、ホストシステム内に載置されたケージ２内に挿入され、ケージ２の奥部に配された電気コネクタ２ａにより電気的に接続される。
【００１９】
光レセプタクル１０は、光ファイバケーブル３の端部に設けられた光コネクタ３ａにより、光ファイバコード３ｃと光学的に接続される。このため、光レセプタクル１０の前部には、光コネクタ３ａが着脱自在に装着される一対の開口（図４参照）が設けられている。光コネクタ３ａとして、例えば、光ファイバコード３ｃの導入部をファイバブーツ３ｂで保護し、ラッチ部３ｄで上記光コネクタ受納部への装着が係止されるタイプのもの（例えば、ＬＣコネクタ）が用いられる。
【００２０】
また、光レセプタクル１０には、前後方向すなわち光データリンク１の挿脱方向に移動可能に、操作部材４０が装着されている。光データリンク１は、光データリンク１の正面側に設けられた操作部材４０の摘み（この例では、前側連結部４２）をユーザが摘んで操作することにより、ケージ２に挿脱できるようになっている。
【００２１】
また、光レセプタクル１０には、図２に示すように、ホストシステムのケージ２の下部（底部）に形成された係合孔２ｂ（図１参照）に係脱する係合突起３３ａを有するアクチュエータ３０が取付けられている。このアクチュエータ３０は、操作部材４０が前後方向に移動することによってシーソー運動し、後方に形成されている係合突起３３ａが上下に移動しケージ２の係合孔２ｂから係脱される。係合突起３３ａがケージ２に形成された係合孔２ｂに係合されることにより、光データリンク１はケージ２内に保持される。
【００２２】
リンク本体部２０には、光レセプタクル１０がその前方に取付けられており、その光レセプタクル１０を覆うようにして接地フィンガ２０ａが設けられる。接地フィンガ２０ａは光データリンク１をケージ２に挿入した際に、接地電位のケージ２の内面と電気的に接触するとともに、ケージ２に対して１つの放熱経路を確保する。
【００２３】
続いて、本光データリンク１が備える、アクチュエータ３０、光レセプタクル１０及び操作部材４０について説明する。
図３は、図２のアクチュエータ３０について説明する図で、図３（Ａ）はアクチュエータ３０を上方から見た様子を示す斜視図、図３（Ｂ）はアクチュエータ３０の側面図である。アクチュエータ３０は、本体部３１、支点部３２、係合部３３及びバネ部３４を含んで成り、レセプタクル１０に支持される。
【００２４】
本体部３１は、操作部材４０の後述の側壁部に設けられた突出部が上側から摺接するカム部３１ａを両側に有し、また、これらカム部３１ａを連結する連結部３１ｂを有する。また、本体部３１の連結部３１ｂには、その連結部３１ｂから後方に向かって延び出す後述のバネ部３４が一体的に形成されている。
カム部３１ａのそれぞれの上面には、操作部材４０の突出部が接触するカム面３１ｃが形成されており、このカム面３１ｃは、操作部材４０の突出部の前後方向への運動をアクチュエータ３０のシーソー運動に変換するカム面を構成する。また、カム面３１ｃには、凹部３１ｄが形成されている。当該凹部３１ｄは、上下運動するアクチュエータ３０の係合突起３３ａが最下部に位置するときに、操作部材４０の突出部（図５参照）を収納するようになっている。
【００２５】
支点部３２は、アクチュエータ３０のシーソー運動の支点になる軸３２ａを有し、この軸３２ａは、例えば、略半円柱状に形成される。また、軸３２ａは光レセプタクル１０の後述の軸支部に取付けられる。なお、光レセプタクル１０の軸支部は、略半円柱状の軸３２ａに対応した形状に加工されている。軸３２ａが上記軸支部内部でスムーズに回動することで、アクチュエータ３０は軸３２ａを支点としたシーソー運動を行う。
【００２６】
係合部３３の先端（後方）には、図３（Ｂ）に示すように、ケージ２の係合孔２ｂに係合する係合突起３３ａが形成されている。この係合突起３３ａの先端（後方）側の側面が傾斜面に、前方側の側面は係合部３３本体に対し急峻（本体からほぼ垂直に立ち上がる）な面に形成されている。光データリンク１をケージ２に挿入する際には、この傾斜面によりケージ２のラッチ片（不図示）を跳ね上げつつ（又は跳ね下げつつ）挿入され、一旦挿入された場合には、急峻面とラッチ片内の係合孔２ｂとが確実に噛み合って容易に解除されない構造、つまり本発明のような挿脱機構を介することが無ければ容易に解除されない機構を、係合突起３３ａは提供している。
【００２７】
バネ部３４は、その上面３４ａが、本体部３１の光レセプタクル１０の下面に対向する基準面３１ｅに対して、角度をもって形成される。すなわち、バネ部３４は、光レセプタクル１０に取付けられていない状態で側方から見たときに、後側に行くにつれ上面３４ａが基準面３１ｅに対してより高い位置に位置するように形成される。このアクチュエータ３０を図４の光レセプタクル１０に取付ける場合、バネ部３４が撓みながら取付けられる。この撓みに反発する応力は、アクチュエータ３０の軸３２ａを支える光レセプタクル１０の軸支部で吸収されるが、軸３２ａとバネ部３４の後端位置がオフセットされているので、その結果、この応力によりアクチュエータ３０の前端側を上に押し上げる力、すなわち、前端側を光レセプタクル１０に押し付ける力となって作用する。この上方への押し付け力により、アクチュエータ３０の基準面３１ｅに形成されている突起３１ｆが光レセプタクル１０の下面に点接触する。
【００２８】
連結部３１ｂから後方に延びるバネ部３４の後端は支点部３２を超え係合部３３にまで達している。上記後端には、上方に向かって延び出す水平断面がＴ字状の突起３４ｂが形成されている。このバネ部３４の突起３４ｂは、後述するように、光レセプタクル１０の中央隔壁に形成されたポケット部に収まることで、アクチュエータ３０の前後方向の移動を規制する。
【００２９】
また、バネ部３４は光レセプタクル１０に密接して固定されることで、係合突起３３ａとケージ２の係合孔２ｂとの係合を解除するようにアクチュエータ３０の残余の部分が軸３２ａを中心にシーソー運動する際に、シーソー運動に抗する弾性力をアクチュエータ３０に与える。このバネ部３４により、アクチュエータ３０の係合突起３３ａはケージ２の係合孔２ｂに向けて付勢されている。したがって、操作部材４０を操作してアクチュエータ３０にシーソー運動を行わせても、操作部材４０を解放するとアクチュエータ３０はそのバネ部３４の有する弾性力により自動的に元の状態（すなわち、凹部３１ｄに操作部材４０の突出部を収納した状態）に戻る。
【００３０】
図４は、図１及び図２の光レセプタクル１０について説明する図で、図４（Ａ）及び図４（Ｂ）はそれぞれ光レセプタクル１０を前方／後方から見た様子を示す斜視図である。
光レセプタクル１０は、前方から順にレセプタクル部１１、搭載部１２、接続部１３を有する。
【００３１】
レセプタクル部１１は、光コネクタ３ａを受納する部分であり、前方に送信／受信用の二つの開口（光コネクタ受納部）１１ａ、１１ｂを有し、当該開口に光コネクタ３ａが挿入される。レセプタクル部１１は、操作部材４０が取付けられるボス１１ｃ（例えば、略円柱状の突起）をその外側面に有する。操作部材４０の後述の側壁部に形成される孔に、このボス１１ｃが挿通されることにより、操作部材４０が光レセプタクル１０に取付けられる。
【００３２】
また、レセプタクル部１１の下面には、アクチュエータ３０のシーソー運動の回動軸となる軸３２ａを支持する軸支部１１ｄが形成され、軸支部１１ｄの内面形状は、アクチュエータ３０の軸３２ａの外面形状をトレースするように加工されている。レセプタクル部１１の側面の後方端には、その側面において他より高さが一段高い段差１１ｅが形成される。段差１１ｅに操作部材４０の側壁部の後端が突き当たり、操作部材４０がボス１１ｃを中心として回動することを防いでいる。
【００３３】
搭載部１２は、二つの空間１２ａ，１２ｂを有し、これら空間１２ａ，１２ｂに発光素子、受光素子等の光モジュールが搭載される。空間１２ａ，１２ｂは、一対の側壁１２ｃと中央隔壁１２ｄ等により形成される。中央隔壁１２ｄには、その前方端にポケット１２ｅが形成されている。このポケット１２ｅにアクチュエータ３０のバネ部３４の後端に形成されている突起３４ｂが収まる。この突起３４ｂの断面形状にあわせ、ポケット１２ｅの内面形状は、その深さが前方に向かって次第に浅くなり、レセプタクル部１１の底面にスムーズに接続する形状である。
【００３４】
さらに、中央隔壁１２ｄの前方両側のレセプタクル部１１の底面が傾斜面１２ｆとなっている。この傾斜面１２ｆにより、光レセプタクル１０に取付けられたアクチュエータ３０が軸３２ａ周りのシーソー運動をしたときに、アクチュエータ３０の係合部３３が光レセプタクル１０に当たらないようになっている。また、この傾斜面１２ｆによって、アクチュエータ３０の光レセプタクル１０への取付けを容易にしている。側壁１２ｃの外面には突起１２ｇが形成されており、この突起１２ｇがリンク本体部２０の側面の開口に係合することにより、光レセプタクル１０はリンク本体部２０に取付けられる。
【００３５】
接続部１３は、光レセプタクル１０に接地フィンガ２０ａを組み付ける際に使用される。接地フィンガ２０ａは、図１に示すように、リンク本体部２０に光レセプタクル１０を組み付けた後においても、両者の隙間から外方に突き出し、光データリンク１がケージ２にセットされる際には、接地電位のケージ２の内面に直接接触して接地される。一方、光データリンク１の内部では、接地フィンガ２０ａは、光モジュールの外面に接触するため、光モジュールの外皮をケースグラウンドと等電位にさせることが可能となる。
【００３６】
図５は、図１の操作部材４０について説明する図で、操作部材４０を前方から見た様子を示している。操作部材４０は、アクチュエータ３０の係合突起３３ａとケージ２の係合孔２ｂとの係脱操作を駆動するものである。操作部材４０は、光データリンク１の正面側（すなわち、当該光データリンクを前記ケージから抜去する方向）に延び出す側面視Ｌ字形の一対の側壁部４１を有し、これら側壁部４１は、底壁部を構成する前端側連結部４２及び後端側連結部４３により連結されている。
【００３７】
光コネクタ３ａが光データリンク１に装着されていない場合は、オペレータは操作部材４０の前端側連結部４２を直接手で保持して、操作部材４０を前方向に動かすことができる。また、光コネクタ３ａが装着されている場合であっても、本光データリンク１においては、操作部材４０の前端側連結部４２が、光コネクタ３ａのファイバブーツ３ｂ近傍に配置されており、ラッチ部付近と比べて上下にスペースがあるので、オペレータは操作部材４２を直接手で保持して操作部材４０を動かすことができる。また、光コネクタ３ａが光データリンク１に装着されているときにオペレータが手で操作部材４０を直接操作するのが難しい場合でも、例えば鉤型の先端を有する、光データリンクを引き出すための治具（引っ掛け棒）を前端側連結部４２に引っ掛けて、操作部材４０を前方向に動かすことができる。
【００３８】
一対の側壁部４１はそれぞれ、光レセプタクル１０の両側面に係合摺接できるように、すなわち、光レセプタクル１０の両側面と係合しつつ当該両側面に接触しながら光レセプタクル１０に対して移動できるように構成される。この係合摺接のために、側壁部４１には、例えば、光レセプタクル１０のボス１１ｃが挿通される長円形(この例では、略楕円形)の挿通孔（長孔）４１ａが形成されている。この挿通孔４１ａは、前後方向の長さがボス１１ｃの前後方向の長さより長くなっており、また、上下方向の長さがボス１１ｃの上下方向の長さと略同じである。
【００３９】
そのため、操作部材４０は、ボス１１ｃを中心軸として回動運動しない限り、前後方向に移動することができるようになっており、また、前後方向に操作部材４０が移動するとき、すなわち、操作部材４０が光レセプタクル１０に対して移動したとき、相対的に、光レセプタクルのボス１１ｃが操作部材４０に対して挿通孔４１ａ内をスライドするように移動する。
【００４０】
また、側壁部４１の後端４１ｂは、操作部材４０が最も後側にある場合に、光レセプタクル１０の段差１１ｅに突き当たる。
また、一対の側壁部４１には、互いに対向するように突出部４１ｃが形成されており、この突出部４１ｃは、アクチュエータ３０のカム面３１ｃと摺接する。上述のように、アクチュエータ３０のカム面３１ｃは、操作部材４０の前後方向への運動をアクチュエータ３０のシーソー運動に変換するカム面である。そのため、操作部材４０が前後方向に運動するときに、アクチュエータ３０のカム部３１ａと操作部材４０の突出部４１ｃとの係合によりアクチュエータ３０がシーソー運動し、このシーソー運動により、ケージ２の係合孔２ｂにアクチュエータ３０の係合突起３３ａが挿脱される。
【００４１】
なお、挿通孔４１ａは、アクチュエータ３０の係合突起３３ａがケージ２の係合孔２ｂから抜去されるような位置まで、操作部材４０を前方向に移動させたときに、挿通孔４１ａの後端が光レセプタクル１０のボス１１ｃに当接するように設けられる。このように挿通孔４１ａを設けることにより、アクチュエータ３０の係合突起３３ａをケージ２の係合孔２ｂから抜去する動作に続いて、同じ動作で光データリンク１自体をケージ２から引き抜くことができる。
【００４２】
次に、図６を用いて、本光データリンクをケージから抜去するときの動作について説明する。図６（Ａ）〜図６（Ｃ）は光データリンクの前方部分の側面図で、図６（Ｄ）〜図６（Ｆ）はそれぞれ図６（Ａ）〜図６（Ｃ）の部分拡大図である。
図６（Ａ）及び図６（Ｄ）において、操作部材４０は非動作状態にあって、操作部材４０の側壁部４１の突出部４１ｃは、アクチュエータ３０のカム面３１ｃに形成された凹部３１ｄに納まり係合している。この凹部３１ｄにおける係合により、操作部材４０は所定の位置に保持され、アクチュエータの係合突起３３ａが最も外側に突き出された状態にあって、ケージ２の係合孔２ｂ（図１参照）に納まるようになっている。
【００４３】
この状態から、操作部材４０を、前端側連結部４２を前方に牽いていくと、操作部材４０の側壁部４１の突出部４１ｃは、アクチュエータ３０のカム面３１ｃ上を移動する。そして、前方に動いていく突出部４１ｃが接触するカム面３１ｃにより、アクチュエータ３０がシーソー運動し、アクチュエータ３０の本体部３１が外方に押し出され、係合突起３３ａが光レセプタクル１０側に引き寄せられる。また、このとき、光レセプタクル１０のボス１１ｃが相対的に操作部材４０の挿通孔４１ａに沿ってスライドする。その結果、図６（Ｂ）及び図６（Ｅ）に示すような状態になる。この状態になると、係合突起３３ａとケージ２の係合孔２ｂとの係合状態が解除されている。
【００４４】
さらに、操作部材４０を前方に牽いていくと、図６（Ｃ）及び図６（Ｆ）に示すように、光レセプタクル１０のボス１１ｃが、操作部材４０の挿通孔４１ａの後端部と当接（係合）する。この状態では、図６（Ｂ）及び図６（Ｅ）の状態と同様に、係合突起３３ａとケージ２の係合孔２ｂとの係合状態が解除されているので、操作部材４０をさらに前方に牽くと光レセプタクル１０のボス１１ｃと操作部材４０の挿通孔４１ａとの係合により、光データリンク１をケージ２から引き出すことができる。
【００４５】
このように操作部材４０が前方向へ移動したときに、アクチュエータ３０はそれに合わせて一連の動作を行うが、この動作中、そのバネ部３４は、突起３４ｂ（図３参照）が光レセプタクル１０に固定された状態で変形されており、この変形に対する応力がアクチュエータ３０に加えられており、アクチュエータ３０は、光レセプタクル１０方向に付勢されている。したがって、操作部材４０が開放されれば、バネ部３４の弾性力により、図６（Ｃ）〜図６（Ｆ）の状態から、図６（Ａ）の位置を自動的に回復し、アクチュエータ３０の凹部３１ｄに操作部材４０の突出部４１ｃが係合する。
【００４６】
また、図６（Ａ）及び図６（Ｄ）の状態すなわち非動作状態にあるときは、光レセプタクル１０の段差１１ｅと、操作部材４０の側壁部４１の後端部分４１ｂとが当接しているため、操作部材４０が光レセプタクル１０のボス１１ｃを中心にして回動するような方向に力が加わっても、操作部材４０は回動することはない。
なお、非動作状態において、光レセプタクル１０のボス１１ｃが、操作部材４０の挿通孔４１ａ内において最も前側に位置するようになっている。
【００４７】
図７及び図８を用いて、操作部材の他の例を説明する。図７は、他の例の操作部材を説明する斜視図であり、図７（Ａ）は上方から操作部材の様子を示しており、図７（Ｂ）は後述のベールを取り外されている状態の操作部材を示している。図８は、図７の操作部材が光データリンクに取付けられた時の様子を説明する図で、図８（Ａ）は、ベールを折り畳んだ状態の光データリンクを示しており、図８（Ｂ）は、ベールが図８（Ａ）の状態から前側に向かって回動された状態のものを示している。なお、前例の操作部材４０と同様な構成については、同一の参照番号を付してその説明を省略する。
【００４８】
本例の操作部材５０の側壁部５１は、図７（Ａ）に示すように、前例の操作部材４０の側壁部４１に比べ長くなっており、前側連結部４２と後側連結部４３と同様な前側連結部５２と後側連結部５３との間に、一対の側壁部５１を連結する底壁部である連結部５４，５５をさらに有する。また、この操作部材５０は、取付けられた箇所を軸に回動する取手（ベール）５６を有し、図７（Ｂ）に示すように、側壁部５１にはベール５６が取付けられる取付け部５１ａが形成されている。
【００４９】
操作部材５０において、ベール５６は、通常には、図８（Ａ）に示すように、折り返して畳まれた状態となっている。このベール５６の摘み部５６ａを把持して回動させて、操作部材５０を図８（Ｂ）のように伸ばせば、そのままベール５６を前側に牽くことにより、光データリンク１'を引き抜くことが可能となる。図８（Ｂ）に示すように、引き抜き時のベール５６の摘み部５６ａは、光ファイバコード３ｃの付近に配置されており、上下に大きなスペースがあるので、光データリンク１'は、光コネクタ（ＬＣコネクタ）３ａを装着していた場合でも治具無しで容易に取り外すことができる。
【００５０】
また、操作部材を単純に光軸方向に長くすることで、上述のように、光データリンク１'を容易に取り外すことができるようになるが、そのときの光ファイバケーブル３は、常に、曲げ半径が小さい状態で光ファイバコード部分から下に垂れ下がるので、性能が低下する恐れがある。一方、操作部材５０は、図８（Ａ）に示すように、ベール５６を折り畳むことができる構造であって、折り畳んだ状態のベール５６で光ファイバケーブル３のファイバブーツ３ｂを保持する構造を有している。そして、ベール５６を折り畳んだ状態の操作部材５０の長さは、光ファイバケーブル３が、ベール５６が保持するファイバブーツ部分から緩やかに（曲げ半径を確保して）垂れ下がって行くような長さになっている。そのため、本光モジュール１'においては、光ファイバケーブル３のファイバ性能が低下することがない。
【００５１】
また、ベール５６が光ファイバケーブル４のファイバブーツ３ｂ部分を保持しているので、垂れ下がった部分に誤って引っ張り荷重が加わったときに、コネクタ部分に働く荷重を操作部材５０で支えることができる。
【００５２】
さらに他の例の操作部材について、図９及び図１０を用いて説明する。図９（Ａ）は、他の例の操作部材の斜視図であり、図９（Ｂ）は、その操作部材が取付けられた光データリンクの斜視図である。図１０（Ａ）は、図５の操作部材を備える光データリンクのホスト装置への取付け状態を示す図であり、図１０（Ｂ）は、図９（Ａ）の操作部材を備える光データリンクのホスト装置への取付け状態を示す図である。なお、前例の操作部材４０，５０と同様な構成については、同一の参照番号を付してその説明を省略する。
【００５３】
本例の操作部材６０は、端的に言えば、図９（Ａ）及び図９（Ｂ）に示すように、図８（Ａ）の例の操作部材５０からベール５６を取り外した操作部材本体部に、後述のベゼルの開口を塞ぐ導電性の部材である小型ベゼル６１が取付けられてなる。ただし、操作部材６０の側壁部５１'は、操作部材５０の側壁部５１に比べて、長手方向の長さが短く形成されている。
【００５４】
小型ベゼル６１は、光ファイバコード３ｃが挿通する開口６１ａを有し、この小型ベゼル６１を牽くことにより操作部材６０が牽かれるように、操作部材６０の側壁部５１の光ファイバブーツ端部近傍に設けられる取付け部５１ａ'に取付けられている。操作部材６０の取付け部５１ａ'は、操作部材５０の取付け部５１ａに比べて、長手方向の長さが長く形成されている。つまり、小型ベゼル６１の長手方向のストロークには遊びが設けてある。ストロークに遊びを設ける理由については、後述する。また、図示は省略するが、小型ベゼル６１は、小型ベゼル６１をホスト装置に固定するための固定ネジを有している。なお、小型ベゼル６１の大きさや形状、固定ネジの位置は、光データリンク１''を高密度で実装するために、その実装形態に応じて変えることができる。
【００５５】
ホスト装置（例えば、ネットワーク装置）のフロントパネル４及びベゼル５は、図１０（Ａ）に示すように、光データリンク（例えば、図５の操作部材を備える光データリンク）の光レセプタクル１０の前面近傍に配置される。この場合、そのフロントパネル４及びベゼル５には、光データリンク１が挿入される開口部（図示省略）が形成され、その開口部の大きさは、約１０．４×１５．３mmである。この開口部から光レセプタクル１０がホスト装置外部に露出しており、この露出した部分を介して、光データリンクはノイズの影響を受ける恐れがある。ＥＭＩやＥＳＤに対する要求が厳しい長距離・高速対応の光データリンクとするには、光データリンクにおけるノイズを一層抑制するための対策を講じることが好ましい。
【００５６】
そこで、本例の操作部材６０を有する光データリンク１''の場合は、図１０（Ｂ）に示すように、フロントパネル４及びベゼル５を、光レセプタクル１０から大きく離れた前方の位置に配置し、光データリンク１''の操作部材６０の一部を除く略全体が、ネットワーク装置内に配置されるようになっている。そして、光データリンク１''は、フロントパネル４及びベゼル５より奥まったところでケージ２と係合する配置にしている。また、フロントパネル４及びベゼル５には、光データリンク１''の本体と操作部材６０とが挿入できるような開口部が形成されているが、小型ベゼル６１をネットワーク装置のベゼル５に取付けると、開口部の見かけの大きさは直径５ｍｍ（開口６１ａの直径）で済む。このような構成により、本光データリンク１''はＥＭＩに対して有利に働く。
【００５７】
操作部材６０を用いる場合は、まず小型ベゼル６１付き操作部材６０を装着した光データリンク１''に光ファイバケーブル３を挿入し、ファイバ挿入孔（開口６１ａ、図９参照）にファイバコード３ｃを収納する。
次に、ネットワーク装置のフロントパネル４及びベゼル５に設けられたスロット（上記開口部）に小型ベゼル６１付き光データリンク１''を差し込む。そして、光ファイバケーブル３のファイバブーツ３ｂを持って、ケージ２へのラッチが終わるまで押し込む。ファイバブーツ３ｂを把持していた分、小型ベゼル６１とフロントパネルとの間に隙間が残るので、ラッチした後、小型ベゼル６１を、取付け部５１ａ’に沿ってスライドさせて更に押し込み、フロントパネルと接触させる。そして、小型ベゼル６１が有する固定ネジ６１ｂをフロントパネル４に取付けてセットが終了する。
【００５８】
光データリンク１''を取り外す際は、まず、小型ベゼル６１の固定ネジ６１ｂを外して、光データリンク１''をフロントパネル４から取り出し可能な状態となるようにする。
次に、小型ベゼル６１を掴んで引っ張る。この引っ張り動作により、操作部材６０が動かされ、その結果、光データリンク１''とケージ２とのラッチ解除が行われる。そして、引っ張り続けることにより、そのまま光データリンク１''を引き抜くことができる。
【００５９】
上述のように、光データリンク１''において本例の操作部材６０を用いる場合、小型ベゼル６１の長手方向のストロークに遊びを設けておき（すなわち、小型ベゼル６１のスライド距離を長くしておき）、光データリンク１''をホスト装置とラッチさせた後に、小型ベゼルを光データリンク本体側へスライドさせてフロントパネルに接触させ固定するようにしている。このようにすることで、ホスト装置側の筐体に対するホストボードの取付け精度とフロントパネルの取付け精度などのバラつき要因により、光データリンクのアクチュエータの係合突起がケージの係合孔にラッチしたときに、小型ベゼルとフロントパネルの配置関係が適切な位置よりも長すぎたり、短すぎたりして取付けが不完全になることがない。また、そのため、筐体部品とフロントパネル、ホストボードの位置決め寸法精度を高くする必要がないので、コストを削減することができる。更に、ホスト装置の組立て精度も高くする必要がなく、高コストな冶具を用いた組立て等が必要ないため、安価で製造することができる。
【００６０】
以上のように、本発明によれば、１つの光データリンクの周囲に確保する必要がある高さを抑えることができる。特に、図５または図７の操作部材を用いた場合、ＬＣラッチレバーの高さ（ＬＣコネクタ底面を基準にすると約８．７ｍｍ）以下にすることができる。
さらに、従来の光データリンク（例えば、特許文献１のもの）では、光データリンクを取り外す際に、あらかじめ光コネクタを抜去しておく必要があったが、光データリンクを高密度に上下に実装している場合、光コネクタの抜去が難しかった。しかし、本光データリンクでは、取り外す際などにＬＣコネクタをあらかじめ抜去する必要が無いため、光データリンクの着脱のための動作が容易である。また、ＬＣコネクタを抜去する必要がないため、ホストボードのスロット間隔を狭ピッチ（例えば、約１０ｍｍ程度）にできる。
【００６１】
また、特許文献１の光データリンクでは、高密度実装された状態で取り外す際に、隣接する光データリンクのベールを誤って触れ、ケージとのラッチが解除されてしまう（＝通信断）というトラブルが懸念される。しかし、本光データリンクにおいては、当該光データリンクを外すために用いられる操作部材の摘み部は、ＬＣコネクタのブーツ付近に配置されており、このブーツ付近は、光コネクタのラッチ部付近と比べて上下にスペースがあるので、本光データリンクは誤操作されるというトラブルを回避することができる。更に、アクチュエータのバネ機構により、操作部材の突出部が容易に動かない構造になっているため、意図的に操作部材を引っ張らないと解除できないので、本光データリンクは誤操作されることがない。
【００６２】
また、特許文献１や特許文献２に開示の光データリンクでは、ケージから当該リンクを取り外すには、複数ステップからなる操作をする必要があった。それに対し、本光データリンクの取り外しに必要な動作は、操作部材を掴んで引き抜くだけなので、非常に容易であり、引っ掛け棒のような治具の場合でも操作性が良い。また、本光データリンクに用いられる光レセプタクルは、従来のベール構造の光データリンクと共用できるため、安価に製造することができる。
【００６３】
なお、特許文献２の光データリンクでは、光データリンクをホストシステムのケージから取り外した際に再度光データリンクをケージに挿入する場合等において、倒したバーを元の位置に戻すなどの操作が必要であった。また、その操作を行っても、当該操作による動作とアクチュエータとが連動していないため、アクチュエータ（の係合突起）が中途半端な位置にとどまる可能性があった。それに対し、本光データリンクでは、アクチュエータの係合突起をケージの係合孔の方向に向かわせようとする力が常に働くように、アクチュエータにバネ部が一体に形成されていたりするので、操作部材から手を離せば上記係合突起は上記係合孔に自動的に係合するなどしてアクチュエータが中途半端な位置にとどまることがない。
【００６４】
なお、以上の説明では、アクチュエータを光レセプタクル方向に付勢するバネ部がアクチュエータと一体的に形成されていたが、アクチュエータとは別部品としてもよい。
また、光コネクタとしてＬＣコネクタを用い、ＬＣコネクタ用の光レセプタクルを用いるものとして説明したが、ＳＣまたはＭＵコネクタを用い、ＳＣまたはＭＵコネクタ用の光レセプタクルを用いた光データリンクにも本発明は適用できる。さらに、上記のような２心の光データリンクのみならず、例えば、１心構造のBi-Directional光データリンクにも適用できる。
【図面の簡単な説明】
【００６５】
【図１】本発明の光データリンクの概略及びその使用形態を説明する図である。
【図２】図１の光データリンクの前側の部分を拡大して示す図である。
【図３】図２のアクチュエータ３０について説明する図である。
【図４】図１及び図２の光レセプタクル１０について説明する図である。
【図５】図１の操作部材４０について説明する図である。
【図６】本光データリンクをケージから抜去するときの動作について説明する図である。
【図７】他の例の操作部材を説明する斜視図である。
【図８】図７の操作部材が光データリンクに取付けられた時の様子を説明する図である。
【図９】さらに他の例の操作部材について説明する図である。
【図１０】さらに他の例の操作部材について説明する図である。
【符号の説明】
【００６６】
１，１'，１''…光データリンク、２…ケージ、２ａ…電気コネクタ、２ｂ…係合孔、３…光ファイバケーブル、３ａ…光コネクタ、３ｂ…ファイバブーツ、３ｃ…光ファイバコード、３ｄ…ラッチ部、４…フロントパネル、５…ベゼル、１０…光レセプタクル、１１…レセプタクル部、１１ａ，１１ｂ…開口、１１ｃ…ボス、１１ｄ…軸支部、１１ｅ…段差、１２…搭載部、１２ａ，１２ｂ…空間、１２ｃ…側壁、１２ｄ…中央隔壁、１２ｅ…ポケット、１２ｆ…傾斜面、１２ｇ…突起、１３…接続部、２０…リンク本体部、２０ａ…接地フィンガ、３０…アクチュエータ、３１…本体部、３１ａ…カム部、３１ｂ…連結部、３１ｃ…カム面、３１ｄ…凹部、３１ｅ…基準面、３１ｆ…突起、３２…支点部、３２ａ…軸、３３…係合部、３３ａ…係合突起、３４…バネ部、３４ａ…上面、３４ｂ…突起、４０，５０，６０…操作部材、４１，５１…側壁部、４１ａ…挿通孔、４１ｂ…後端、４１ｃ…突出部、４２，５２…前端側連結部、４３，５３…後端側連結部、５１ａ…取付け部、５４，５５…連結部材、５６…ベール、６１…小型ベゼル、６１ａ…開口、６１ｂ…固定ネジ。
【図１】
0004941216.tif 000002
【図２】
0004941216.tif 000003
【図３】
0004941216.tif 000004
【図４】
0004941216.tif 000005
【図５】
0004941216.tif 000006
【図６】
0004941216.tif 000007
【図７】
0004941216.tif 000008
【図８】
0004941216.tif 000009
【図９】
0004941216.tif 000010
【図１０】
0004941216.tif 000011